(57)【要約】【課題】粉末状、顆粒状、濃縮液状、ペースト状並びにタブレット状に加工された飲料品を、全国に多数設置されているたばこ自動販売機を利用して、何時でも、必要な種類、量を、どのような所でも、さらに、かさばること無く購入することができる飲料品の販売容器を提供する。【解決手段】棒状のカプセルや袋に小分けして封入した粉末状、顆粒状、濃縮液状、ペースト状の飲料品並びにタブレット状に加工された飲料品を、全国に多数設置されているたばこ自動販売機で購入できるように、紙巻タバコの収納箱に類似する箱型形状の飲料品の販売容器に収納する。【選択図】図１
0003122807.tif 000002
【実用新案登録請求の範囲】
【請求項１】
棒状のカプセル容器又は袋状の容器に小分けして封入した粉末状乃至は顆粒状に加工した飲料品を、紙巻タバコ収納箱に類似する箱型形状の容器に収納することを特徴とする飲料品の販売容器。
【請求項２】
前記記載の棒状のカプセル容器及び袋状の容器が水に対し可溶性の可食性皮膜を形成する基材から成ることを特徴とする、請求項１記載の飲料品の販売容器。
【請求項３】
棒状のカプセル容器又は袋状の容器に小分けして封入した濃縮液状乃至はペースト状に加工した飲料品を、紙巻タバコ収納箱に類似する箱型形状の容器に収納することを特徴とする飲料品の販売容器。
【請求項４】
タブレット状の固形の飲料品を、紙巻タバコ収納箱に類似する箱型形状の容器に収納することを特徴とする飲料品の販売容器。
【請求項５】
飲料品の販売容器内面が防水処理され、且つ飲料品の販売容器外面が樹脂フィルムで覆われていることを特徴とする請求項１、請求項２、請求項３、請求項４記載の飲料品の販売容器。
【考案の詳細な説明】
【技術分野】
【０００１】  本考案は、粉末状、顆粒状、タブレット状、濃縮液状、及びペースト状に加工された飲料品を販売するための容器に関するものである。
【背景技術】
【０００２】  従来から、茶、コーヒー、ココア、ジュース、ミルク等の飲料品は、店舖販売が一般的であり、且つ、袋詰め、真空パック、缶、ビン並びに箱等のかさばる梱包容器により、さらには、棒状乃至は小袋状のアルミ箔や紙等のパックに一人前ずつ小分けされ、まとめて大きな容器に収納し販売されている。
【考案の開示】
【考案が解決しようとする課題】
【０００３】  そのため、旅行や出張、アウトドア生活等では、買い忘れに気がついても、店舗販売が一般的であるために、近隣で簡単に購入することが難しく、且つ購入してもかさばる等の問題があった。【０００４】  従って、本考案では、粉末状、顆粒状、タブレット状、濃縮液状、及びペースト状に加工した飲料品を、手軽に何時でも、必要な種類、量を、どのような所でも、かさばること無く購入することができる容器を提供するものである。
【課題を解決するための手段】
【０００５】  本考案の飲料品の販売容器は、棒状のカプセルや袋に小分けして封入した粉末状、顆粒状、濃縮液状、及びペースト状の飲料品、さらにはタブレット状の飲料品を収納してなる、紙巻タバコの収納箱に類似する箱型形状であることを特徴とするものである。尚、長期間の保存に耐えられる様に、飲料品の販売容器の内面はラミネート紙やアルミ箔等で防湿処理され、且つ外面は樹脂フィルムで覆われている。【０００６】  粉末状及び顆粒状の飲料品を封入する棒状のカプセルや袋の材質は、水に対し可溶性の可食性皮膜を形成するゼラチン、寒天、ペクチン、可溶性澱粉、セルロース等の材質から成ることを特徴とするが、ラミネート紙やアルミ箔、合成樹脂でもよい。
【考案の効果】
【０００７】  本考案の飲料品の販売容器は、全国に多数設置されているたばこ自動販売機が利用できるように、紙巻タバコの収納箱に類似する箱型形状であることを特徴とする為、自動販売機を改造することなく、現状のたばこ自動販売機を用いて販売することができる。【０００８】  紙巻タバコの収納箱に類似する箱型形状の飲料品の販売容器は、設置台数の多いたばこ自動販売機を利用して販売することができるため、粉末状、顆粒状、タブレット状、濃縮液状、及びペースト状に加工された茶、コーヒー、ココア、ジュース、ミルク等の飲料品を手軽に何時でも、必要な種類、量を、どのような所でも購入することができる。【０００９】  さらに、かさばる事が無いため、バッグやリュックサック並びに服等のポケットに入れて手軽に持ち運ぶことができる。又、箱型形状の飲料品の販売容器は紙巻タバコの収納箱と類似している為、そのまま贈り物としての意匠に耐えることができる。【００１０】  さらに、水に対し可溶性の可食性皮膜を基材とする棒状のカプセル容器や袋状の容器に封入した粉末状並びに顆粒状の飲料品は、封入容器ごと直接お湯を注ぐだけで飲用できる事、並びにタブレット状の飲料品も直接お湯を注ぐだけで飲用できる事等から、飛散しやすい小さなゴミの発生が無く、アウトドア生活等では自然環境の保護に役立つ。
【考案を実施するための最良の形態】
【００１１】  次に本考案の実施の形態について図にもとづいて詳細に説明する。【００１２】  図１は棒状のカプセル容器１、図２は袋状の容器３、並びに、図３はタブレット状の飲料品４を紙巻タバコの収納箱に類似する箱型形状の飲料品の販売容器２に収納した実施の形態を示している。【００１３】  図４の棒状のカプセル容器１と図５の袋状の容器３の断面は、封入容器の模式的断面図であり、図中の５は粉末状、顆粒状、濃縮液状、乃至はペースト状の飲料品である。棒状のカプセル容器１と袋状の容器３は、粉末状と顆粒状の飲料品の場合、水に対し可溶性の可食性皮膜を基材とするゼラチン、寒天、ペクチン、可溶性澱粉、セルロース等から成っていることを特徴とするが、ラミネート紙やアルミ箔、合成樹脂でもよい。尚、濃縮液状乃至はペースト状の飲料品を入れる封入容器の材質は、ラミネート紙やアルミ箔、合成樹脂等の耐水性のものであるならば、どのようなものでもよい。【００１４】  図６は紙巻タバコの収納箱に類似した箱型形状の飲料品の販売容器２の模式的断面図である。図中の６は飲料品の販売容器の構造体、７は構造体６を包む防水フィルム、８は構造体６の内面を被覆する防水膜であり、粉末状や顆粒状並びにタブレット状の飲料品を湿気から保護するものである。
【実施例】
【００１５】  以上記載のように、本考案では、粉末状、顆粒状、タブレット状の飲料品さらには濃縮液状、ペースト状の飲料品を、紙巻タバコの収納箱に類似した箱型形状の飲料品の販売容器に収納し、空港、鉄道駅、フェリー発着場、コンビニエンスストア、高速道路や道の駅等のパーキングエリア、キャンプ場等のたばこ自動販売機等を利用することにより、手軽に何時でも、必要な種類、量を、どのような所でも、さらに、かさばること無く購入できる。
【図面の簡単な説明】
【００１６】
【図１】「棒状のカプセル容器を箱型形状の飲料品の販売容器に収納した一例を示す斜視図である。」
【図２】「袋状の容器を箱型形状の飲料品の販売容器に収納した一例を示す斜視図である。」
【図３】「タブレット状の飲料品を飲料品の販売容器に収納した一例を示す斜視図である。」
【図４】「棒状のカプセル容器断面模式図である。」
【図５】「袋状の容器断面模式図である。」
【図６】「箱型形状の飲料品の販売容器の断面模式図である。」
【符号の説明】
【００１７】１  棒状のカプセル容器
２  箱型形状の飲料品の販売容器
３  袋状の容器
４  タブレット状の飲料品
５  粉末状、顆粒状、濃縮液状乃至はペースト状の飲料品
６  飲料品の販売容器の構造体
７  防水フィルム
８  防水膜
【図１】
0003122807.tif 000003
【図２】
0003122807.tif 000004
【図３】
0003122807.tif 000005
【図４】
0003122807.tif 000006
【図５】
0003122807.tif 000007
【図６】
0003122807.tif 000008
【手続補正書】
【提出日】平成18年3月28日(2006.3.28)
【手続補正１】
【補正対象書類名】実用新案登録請求の範囲
【補正対象項目名】請求項５
【補正方法】変更
【補正の内容】
【請求項５】
飲料品の販売容器内面が防水処理され、且つ飲料品の販売容器外面が樹脂フィルムで覆われていることを特徴とする請求項１〜４のいずれか１項に記載の飲料品の販売容器。